(57)【要約】【課題】  ＤＴＰデータに対して、塗り足しデータを生成することで、デザイナーやＤＴＰオペレータが、塗り足しデータを意識せずにデザイン作業に従事して作成したＤＴＰデータを基に、塗足しデータを生成する、ＤＴＰ塗足しデータ作成システムを提供することである。【解決手段】仕上り線に接した矩形オブジェクトの境界線を、境界線の外側に拡張する矩形オブジェクト塗足し手段と、文字位置を補正する文字オブジェクト位置補正手段と、画像データのサイズが矩形オブジェクト領域に不足するときに警告を表示する警告手段と、画像データのサイズを指定倍率で拡大する画像オブジェクト拡大手段と、を備えることを特徴とする塗足しデータ作成システムである。【選択図】図１
2006072419.tif 000002
【特許請求の範囲】
【請求項１】
仕上り線に接した矩形オブジェクトの境界線を、境界線の外側に拡張して、塗足しする矩形オブジェクト塗足し手段と、
文字位置を補正する文字オブジェクト位置補正手段と、
ＤＴＰデータから、矩形オブジェクトを抽出して、塗足しした矩形オブジェクトに更新する制御手段と、
を備えることを特徴とする塗足しデータ作成システム。
【請求項２】
画像データのサイズが矩形オブジェクト領域に不足するときに警告を表示する画像データサイズ不足警告手段
を備えることを特徴とする請求項１の塗足しデータ作成システム。
【請求項３】
画像データのサイズを指定倍率で拡大する画像オブジェクトサイズ補正手段
を備えることを特徴とする請求項１、または、請求項２の塗足しデータ作成システム。
【請求項４】
画像オブジェクトの画像データを所定の画像データと入れ換える画像オブジェクト入換手段
を備えることを特徴とする請求項１、または、請求項２の塗足しデータ作成システム。
【請求項５】
仕上り線に接した矩形オブジェクトの境界線を、境界線の外側に拡張する矩形オブジェクト塗足しステップと、
文字位置を補正する文字オブジェクト位置補正ステップと、
ＤＴＰデータから、矩形オブジェクトを抽出して、塗足しした矩形オブジェクトに更新する制御ステップと、
を含んだ手順でなされることを特徴とする塗足しデータ作成方法。
【請求項６】
画像データのサイズが矩形オブジェクト領域に不足するときに警告を表示する警告ステップを備えることを特徴とする請求項５の塗足しデータ作成方法。
【請求項７】
画像データのサイズを指定倍率で拡大する画像オブジェクトサイズ補正ステップを備えることを特徴とする請求項５、または、請求項６の塗足しデータ作成方法。
【請求項８】
画像オブジェクトの画像データを所定の画像データと入れ換える画像オブジェクト入換ステップを備えることを特徴とする請求項５、または、請求項６の塗足しデータ作成方法。
【請求項９】
コンピュータに組込むことによって、コンピュータを請求項１から請求項４のいずれか一項に記載の塗足しデータ作成システムとして動作させるコンピュータプログラム。
【発明の詳細な説明】
【技術分野】
【０００１】
本発明は、ＤＴＰにおける、断裁部分の印刷仕上りを整えるための塗足しデータ生成に関するものである。
【背景技術】
【０００２】
従来、断裁位置までレイアウトする印刷物のＤＴＰデータを制作する場合は、断裁時の微妙な位置すれによる仕上がり不良を防ぐために、ＤＴＰ作業中に、版面より外側の部分まで考慮したレイアウトをする“塗り足し”をする必要があった。そのため、デザイナーやＤＴＰオペレータは、塗り足しに対する知識を要し、最終的なレイアウトを確認する際も、版面確認用の専用のマスクを用いて確認する必要があった。
【発明の開示】
【発明が解決しようとする課題】
【０００３】
本発明はこのような従来技術を考慮してなされたものであって、本発明の課題は、ＤＴＰデータに対して、塗り足しデータを生成することで、デザイナーやＤＴＰオペレータが、塗り足しデータを意識せずにデザイン作業に従事して作成したＤＴＰデータを基に、塗足しデータを生成する、ＤＴＰ塗足しデータ作成システムを提供することである。
【課題を解決するための手段】
【０００４】
本発明は、以下のような解決手段により、前記課題を解決する。すなわち、請求項１に記述の発明は、仕上り線に接した矩形オブジェクトの境界線を、境界線の外側に拡張する矩形オブジェクト塗足し手段と、文字位置を補正する文字オブジェクト位置補正手段と、ＤＴＰデータから、矩形オブジェクトを抽出して、塗足しした矩形オブジェクトに更新する制御手段と、を備えることを特徴とする塗足しデータ作成システムである。
【０００５】
請求項２に記述の発明は、画像データのサイズが矩形オブジェクト領域に不足するときに警告を表示する画像データサイズ不足警告手段を備えることを特徴とする請求項１の塗足しデータ作成システムである。
【０００６】
請求項３に記述の発明は、画像データのサイズを指定倍率で拡大する画像オブジェクトサイズ補正手段を備えることを特徴とする請求項１、または、請求項２の塗足しデータ作成システムである。
【０００７】
請求項４に記述の発明は、画像オブジェクトの画像データを所定の画像データと入れ換える画像オブジェクト入換手段を備えることを特徴とする請求項１、または、請求項２の塗足しデータ作成システムである。
【０００８】
請求項５に記述の発明は、仕上り線に接した矩形オブジェクトの境界線を、境界線の外側に拡張する矩形オブジェクト塗足しステップと、文字位置を補正する文字オブジェクト位置補正ステップと、ＤＴＰデータから、矩形オブジェクトを抽出して、塗足しした矩形オブジェクトに更新する制御ステップとを含んだ手順でなされることを特徴とする塗足しデータ作成方法である。
【０００９】
請求項６に記述の発明は、画像データのサイズが矩形オブジェクト領域に不足するときに警告を表示する警告ステップを備えることを特徴とする請求項５の塗足しデータ作成方法である。
【００１０】
請求項７に記述の発明は、画像データのサイズを指定倍率で拡大する画像オブジェクトサイズ補正ステップを備えることを特徴とする請求項５、または、請求項６の塗足しデータ作成方法である。
【００１１】
請求項８に記述の発明は、画像オブジェクトの画像データを所定の画像データと入れ換える画像オブジェクト入換ステップを備えることを特徴とする請求項５、または、請求項６の塗足しデータ作成方法である。
【００１２】
請求項９に記述の発明は、コンピュータに組込むことによって、コンピュータを請求項１から請求項４のいずれか一項に記載の塗足しデータ作成システムとして動作させるコンピュータプログラムである。
【発明の効果】
【００１３】
本願発明によれば、ＤＴＰデータに対して、塗り足しデータを生成することで、デザイナーやＤＴＰオペレータは、塗り足しの専門知識がなくても、デザイン作業に従事できる。また、入稿してきたＤＴＰデータに、必要な塗り足し部分が欠けていても、本来のレイアウトを崩すことなく、簡単に、容易に、塗り足しデータを生成することが可能となる。
【発明を実施するための最良の形態】
【００１４】
以下、図面等を参照しながら、本発明の実施の形態について、更に詳しく説明する。図１は、本発明による塗足しデータ作成システムの基本構成を説明する図である。塗足しデータ作成システム１０は、ＤＴＰシステムで作成したＤＴＰデータを読み込み、塗り足し処理を行ったＤＴＰデータで更新処理を行う。塗足しデータ作成システム１０は、矩形オブジェクト塗足し手段１１と、画像データサイズ不足警告手段１２と、文字オブジェクト位置補正手段１３と、画像オブジェクトサイズ補正手段１４と、画像オブジェクト入換手段１６と、制御手段１７とを備える。
【００１５】
図２は、ＤＴＰデータの矩形オブジェクトの構造説明図である。本発明の塗足しデータ作成システム１０が処理の対象とするＤＴＰデータ５０は、矩形オブジェクト５４と、この矩形オブジェクトに関連する、画像オブジェクト５１と、文字オブジェクト５２と、図形オブジェクト５３である。矩形オブジェクト５４は、左上座標値５４ａ、右下座標値５４ｂで、位置とサイズを表現する。画像オブジェクト５１は、矩形オブジェクト５４と画像データ５５で、構成される。矩形オブジェクト５４は、トリミング枠に相当しているので、矩形オブジェクトが移動したり拡張変形に伴って矩形サイズが拡大すると、画像データ５５の下地が不足していれば、余白が露出する可能性がある。文字オブジェクト５２は、矩形オブジェクト５４と文字部５６で、構成される。矩形オブジェクト５４は、文字割付５２ａの領域を示しているので、矩形オブジェクト５４が拡張変形すると、文字割付位置もそれに伴って移動する。図形オブジェクト５３は、矩形オブジェクト５４と図形データ５３ａで、構成される。矩形オブジェクトが拡張変形に伴って左上座標が移動すると、図形や地紋もそれに伴って移動する。
【００１６】
図３は、本発明による版面座標と矩形オブジェクトの塗足しの説明図である。版面座標系は、仕上り領域の左上が原点２３ａ（０，０）となり、水平にＸ軸、垂直にＹ軸となる。ＤＴＰデータの中の、矩形を表現する矩形オブジェクト５４が、印刷の仕上り線２３に接する時には、印刷仕上り領域２０の外側に、矩形オブジェクト５４の領域線を拡張して、矩形オブジェクト領域を拡張することを、塗足しという。たとえば、仕上り領域の左上に、接した矩形オブジェクト５４を、領域線を外側に３ミリ拡張する塗足し処理をすることで、“左上座標値２２ａ（ー３、ー３）、右下座標値５４ｂ（１０５，３０）”の塗足しされた矩形オブジェクト２４となる。
【００１７】
図４は、本発明による文字オブジェクトの文字位置補正の説明図である。たとえば、文字オブジェクト３４の矩形オブジェクト５４が、図３で、塗足し量は、３ミリであるとする。塗り足し前の矩形オブジェクト５４の左上座標値は、原点３０（０，０）であり、所定の文字割付４１がなされている（図４−Ａ）。塗足し後の矩形オブジェクトの左上座標値３１は、（ー３、ー３）に移動する。文字割付は、矩形オブジェクトに対して設定されているので、文字割付の位置４２も、同じ距離だけ移動してしまう（図４―Ｂ）。そこで、文字割付の位置を、本来の位置に保つために、文字割付の開始位置座標値に、（３，３）を加算して、文字オブジェクトの文字割付の座標値を文字位置補正すると、所定の文字割付４３となる（図４−Ｃ）。
【００１８】
図５は、本発明による画像データのザイス補正（拡大）の説明図である。たとえば、画像オブジェクト４４の矩形オブジェクトが、図３で、塗足し量は、３ミリであるとする。塗り足し前の矩形オブジェクト５４の左上座標値は、原点３０（０，０）であり、所定の画像４４ａが割り当てられている。塗足し後の矩形オブジェクトの左上座標値３１は、（ー３、ー３）に移動する。もし、塗り足し領域に、画像データが存在しない場合は、空白部が生じた画像４４ｂになる。そこで、矩形オブジェクトの短辺が、１．１倍（３３／３０）に拡大しているので、画像データを１．２１倍（１．１×１．１）に拡大して、矩形枠を画像で埋めることで、空白部の発生を防ぐか、若しくは、十分に大きなザイスの画像データと入れ換えて、空白部のない画像状態４４ｃにする。なお、画像データを拡大するか、入れ換えるかの判断は、画像データサイズ不足警告手段の警告に従って、オペレータが行う。
【００１９】
図６は、本発明の塗足しデータ作成システムのフローチャートである。
（１）制御手段１７は、ＤＴＰデータを読み込む。（ステップＳ６０）
（２）矩形オブジェクト塗足し手段１１は、ＤＴＰデータ５０の中から、矩形オブジェク    ト５４を検出したか判定する。（ステップＳ６１）ＤＴＰデータの中に、矩形オブジ    ェクトが存在しなければ、終了する。矩形オブジェクトが見つかれば、次のステップ    に進む。
（３）矩形オブジェクト塗足し手段１１は、矩形オブジェクト５４が、版面の端に接して    いるか判定する。（ステップＳ６２）この矩形オブジェクト５４が、版面の端に接し    ていなければ、（２）に戻る。この矩形オブジェクト５４が、版面の端に接していれ    ば、次のステップに進む。
（４）矩形オブジェクト塗足し手段１１は、この矩形オブジェクト５４が、画像オブジェ    クト５１か判定する。（ステップＳ６３）この矩形オブジェクト５４が、画像オブジ    ェクト５４でなければ、（７）に進む。この矩形オブジェクト５４が、画像オブジェ    クト５１であれば、矩形塗足し処理をする。（ステップＳ６５）
（５）画像データサイズ不足警告手段１２は、塗足しした矩形オブジェクトの画像データ    ５５に領域不足が生じれば（空白部が生じれば）、警告を発して、次のステップに進    む。（ステップＳ６６）画像データ５５が不足しなければ（空白部が生じなければ）    、警告を発しないので、（１０）に進む。
（６）オペレータが、この画像データ５５を拡大するか判定する。（ステップＳ６７）こ    の画像データ５５を拡大するならば、画像オブジェクトサイズ補正手段１４は、画像    データ拡大処理をして（ステップＳ６８）、（１０）に進む。この画像データ５５を    拡大せずに、別の画像データと入れ換えるならば、オペレータは、入換処理をして（    ステップＳ６９）、 （９）に進む。
（７）矩形オブジェクト塗足し手段１１は、この矩形オブジェクト５４が、図形オブジェ    クト５３か判定する。（ステップＳ６４）この矩形オブジェクト５４が、図形オブジ    ェクト５３であれば、矩形塗足し処理をして（ステップＳ６５）、（１０）に進む。    この矩形オブジェクト５４が、図形オブジェクト５３でなければ、次のステップに進    む。
（８）矩形オブジェクト塗足し手段１１は、この矩形オブジェクト５４が、文字オブジェ    クト５２か判定する。（ステップＳ６６）この矩形オブジェクト５４が、文字オブジ    ェクト５２であれば、矩形塗足し処理をして（ステップＳ６５）、次に進む。（１０    ）に進む。この矩形オブジェクト５４が、文字オブジェクト５２でなければ、（２）    に戻る。
（９）文字オブジェクト位置補正手段１３は、文字位置補正処理をする。（ステップＳ６    １０）
（１０）制御手段１７は、ＤＴＰデータ５０を塗足し処理済みのＤＴＰデータ５０に更新    して（ステップＳ６１１）、（２）に戻る。
【００２０】
図７は、本発明の矩形塗足し処理のフローチャートである。塗足し量が、３ミリの例で説明する。
（１）矩形オブジェクト塗足し手段１１は、矩形オブジェクト５４が仕上領域の角に位置    するか判定する。（ステップＳ７０）角に位置すれば、次のステップに進む。角に位    置しなければ、（６）のステップに進む。
（２）矩形オブジェクト塗足し手段１１は、矩形オブジェクト５４が仕上領域の左上隅に    接しているか判定する。（ステップＳ７５）この矩形オブジェクト５４が、左上隅に    接しいれば、矩形オブジェクト５４の左辺領域線を左に３ＭＭ、矩形オブジェクトの    上辺領域線を上に３ＭＭ拡張して、左上座標値（ー３、ー３）として、終了する。
（３）矩形オブジェクト塗足し手段１１は、矩形オブジェクト５４が仕上領域の左下隅に    接しているか判定する。（ステップＳ７６）この矩形オブジェクト５４が、左下隅に    接しいれば、矩形オブジェクト５４の左辺領域線を左に３ＭＭずして、下辺領域線を    下に３ＭＭ拡張して、終了する。
（４）矩形オブジェクト塗足し手段１１は、矩形オブジェクト５４が仕上領域の右上隅に    接しているか判定する。（ステップＳ７７）この矩形オブジェクト５４が、右上隅に    接しいれば、矩形オブジェクト５４の右辺領域線を右に３ＭＭ拡張して、座上辺領域    線を上に３ＭＭ拡張して、終了する。
（５）矩形オブジェクト塗足し手段１１は、矩形オブジェクト５４が仕上領域の右下隅に    接しているか判定する。（ステップＳ７８）この矩形オブジェクト５４が、右下隅に    接しいれば、矩形オブジェクト５４の右辺領域線を右に３ＭＭ拡張して、下辺領域線    を下に３ＭＭ拡張して、終了する。
（６）矩形オブジェクト塗足し手段１１は、矩形オブジェクト５４が仕上領域の左端境界    に接するか判定する。（ステップＳ７１）この矩形オブジェクト５４が、接しいれば    、矩形オブジェクトの左辺領域線を左に３ＭＭ拡張して、終了する。
（７）矩形オブジェクト塗足し手段１１は、矩形オブジェクト５４が仕上領域の右端境界    に接するか判定する。（ステップＳ７２）この矩形オブジェクト５４が、接しいれば    、矩形オブジェクトの右辺領域線を右に３ＭＭ拡張して、終了する。
（８）矩形オブジェクト塗足し手段１１は、矩形オブジェクト５４が仕上領域の上端境界    に接するか判定する。（ステップＳ７３）この矩形オブジェクト５４が、接しいれば    、矩形オブジェクトの上辺領域線を上に３ＭＭ拡張して、終了する。
（９）矩形オブジェクト塗足し手段１１は、矩形オブジェクト５４が仕上領域の下端境界    に接するか判定する。（ステップＳ７４）この矩形オブジェクト５４が、接しいれば    、矩形オブジェクトの下辺領域線を下に３ＭＭ」拡張して、終了する。
【００２１】
図８は、本発明による塗足しによる、矩形オブジェクトの座標変化の説明図である。図７にて説明した矩形塗足し処理により、左上座標値や右下座標値が、以下のように、変更される。矩形オブジェクト５４ｆは、塗り足しにより、オブジェクトの左上座標が変更される。左端境界に接する矩形オブジェクト５４ｉは、塗り足しにより、左上座標が、変更される。左下隅に接している矩形オブジェクト５４ｋは、塗り足しにより、左上座標と右下座標とが、変更される。上端境界に接する矩形オブジェクト５４ｇは、塗り足しにより、左上座標が変更される。下端境界に接する矩形オブジェクト５４ｍは、塗り足しにより、右下座標が変更される。右上隅に接している矩形オブジェクト５４ｈは、塗り足しにより、左上座標と下座標とが、変更される。右端境界に接する矩形オブジェクト５４ｊは、塗り足しにより、右下座標が変更される。右下隅に接している矩形オブジェクト５４ｎは、塗り足しにより、右下座標が変更される。
【００２２】
以上詳しく説明したように、本発明によれば、ＤＴＰデータに対して、塗り足しデータを生成することで、ンデザイナーやＤＴＰオペレータは、塗り足しの専門知識がなくても、デザイン作業に従事できるようになった。また、入稿してきたＤＴＰデータに、必要な塗り足し部分が欠けていても、本来のレイアウトを崩すことなく、簡単に、容易に、塗り足しデータを生成することが可能となった。
【図面の簡単な説明】
【００２３】
【図１】本発明による塗足しデータ作成システムの基本構成を説明図。
【図２】ＤＴＰデータの矩形オブジェクトの構造説明図。
【図３】本発明による版面座標と矩形オブジェクトの塗足しの説明図。
【図４】本発明による文字オブジェクトの文字位置補正の説明図。
【図５】本発明による画像データのサイズ補正（拡大）の説明図。
【図６】本発明の塗足しデータ作成システムのフローチャート。
【図７】本発明の矩形の塗足し処理のフローチャート。
【図８】本発明による塗足しによる、矩形オブジェクトの座標変化の説明図。
【符号の説明】
【００２４】
１０  塗足しデータ作成システム
１１  矩形オブジェクト塗足し手段
１２  画像データサイズ不足警告手段
１３  文字オブジェクト位置補正手段
１４  画像オブジェクトサイズ補正手段
１５  矩形オブジェクト近接抽出手段
１７  制御手段
２０  印刷仕上り領域
２２ａ  左上座標値
２３  印刷の仕上り線
２３ａ  原点
２４  矩形オブジェクト
３０  原点
３１  塗足し後の矩形オブジェクトの左上座標値
３４  文字オブジェクト
４１  所定の文字割付
４２  文字割付の位置
４３  所定の文字割付
４４  画像オブジェクト
４４ａ  所定の画像
４４ｂ  空白部が生じた画像
４４ｃ  空白部のない画像
５０  ＤＴＰデータ
５１  画像オブジェクト
５２  文字オブジェクト
５２ａ  文字割付
５３  図形オブジェクト
５３ａ  図形データ
５４  矩形オブジェクト（塗り足し前の矩形オブジェクト）
５４ａ  左上座標値、右下座標値
５４ｂ  右下座標値
５４ｆ  矩形オブジェクト
５４ｇ  上端境界に接する矩形オブジェクト
５４ｈ  右上隅に接している矩形オブジェクト
５４ｉ  左端境界に接する矩形オブジェクト
５４ｊ  右端境界に接する矩形オブジェクト
５４ｋ  左下隅に接している矩形オブジェクト
５４ｍ  下端境界に接する矩形オブジェクト
５４ｎ  右下隅に接している矩形オブジェクト
５５  画像データ
５６  文字部
【図１】
2006072419.tif 000003
【図２】
2006072419.tif 000004
【図３】
2006072419.tif 000005
【図４】
2006072419.tif 000006
【図５】
2006072419.tif 000007
【図６】
2006072419.tif 000008
【図７】
2006072419.tif 000009
【図８】
2006072419.tif 000010